(57)【要約】  【課題】各羽根の大きさを小さくしても好適な作動が得られるようにした、２枚のシャッタ羽根を備えたカメラ用シャッタを提供すること。  【解決手段】シャッタ羽根４は、主地板１と中間板３の間に配置され、主地板１の軸１ｃに枢着されており、シャッタ羽根５は、補助地板２と中間板３の間に配置され、主地板１の軸１ｄに枢着されている。また、シャッタ羽根４，５は、露光開口の全開時に、それらの先端部が重ならないように短く形成されていて、シャッタの小型化と高速化に有利な形状になっている。これらのシャッタ羽根４，５は、それらの長孔４ａ，５ａに挿入された作動ピン６の往復作動によって、相反する方向へ回転させられ、露光開口を開閉するように構成されているが、閉じ作動時には、それらが干渉することなく、露光開口の略中央で閉鎖し終わるようになっている。【選択図】  図１
2005099167.tif 000002
【特許請求の範囲】
【請求項１】
所定の間隔を空けて相互に取り付けられている二つの地板と、前記二つの地板の間を仕切って二つの羽根室を構成している中間板と、前記二つの羽根室内に別々に配置されていて前記二つの地板のいずれかに枢着されており夫々が長孔を有していると共に露光開口の全開時にはそれらの先端部が互いに重ならない形状に形成されている２枚のシャッタ羽根と、前記長孔の両方に嵌合した一つの作動ピンを有していて往復作動することによって前記２枚のシャッタ羽根を相反する方向へ回転させる駆動手段と、前記駆動手段を往復作動させる駆動源と、を備えていることを特徴とするカメラ用シャッタ。
【請求項２】
前記２枚のシャッタ羽根は、夫々の開口形成縁が、全開時において相手のシャッタ羽根側に屈曲した少なくとも一つの屈曲点を有していることを特徴とする請求項１に記載のカメラ用シャッタ。
【請求項３】
前記駆動源がモータであって、前記駆動手段がそのモータの回転子であり、前記作動ピンがそのモータの出力ピンであることを特徴とする請求項１又は２に記載のカメラ用シャッタ。
【発明の詳細な説明】
【技術分野】
【０００１】
本発明は、一つの駆動手段によって、２枚のシャッタ羽根を相反する方向へ回転させ、露光開口を開閉するようにしたカメラ用シャッタに関する。
【背景技術】
【０００２】
カメラ用のレンズシャッタは、シャッタ羽根が撮影レンズの近接位置に配置されていて、円形をした露光開口を開閉するタイプのシャッタである。このタイプのシャッタの中には、１枚のシャッタ羽根が、その往復回転によって露光開口を開閉するようにしたものや、２枚のシャッタ羽根が、露光開口を間にして同時に相反する方向へ直線的に往復運動し、該開口を開閉するようにしたものや、複数枚（５枚が多い）のシャッタ羽根が、光軸を中心にして回転する駆動リングによって同時に同方向へ往復回転させられ、露光開口を開閉するようにしたものもあるが、近年においては、２枚のシャッタ羽根が、同時に相反する方向へ回転させられ、露光開口を開閉するようにしたものが一般的となっている。そして、この種のシャッタは、銀塩カメラにもデジタルスチルカメラにも採用されている。
【０００３】
ところで、レンズシャッタの場合には、露光開口を開くときは光軸中心から開き始め、閉じるときは光軸中心で閉じ終わることや、開閉作動中に変化する開口形状を、極力円形に近いものにすることが理想とされている。そのため、２枚のシャッタ羽根を、同時に相反する方向へ回転させるシャッタの場合には、シャッタ羽根の開口形成縁を独特な曲線形状にしなくてはならないことから、その枢着部から先端部までを弧状で長く形成しており、露光開口が全開状態になったときでも、両者の先端部が重なりあうようにされていた。
【０００４】
ところが、そのような形状のシャッタ羽根は、平面面積が大きく作動領域も大きいことから、シャッタの小型化，高速化にとって問題となってきた。また、他方では、レンズの性能やフィルムの性能なども向上してきたことから、光軸中心から開かせ光軸中心へ閉じさせるようにしたり、開閉作動中に変化する開口形状を円形に近いものにすることよりも、小型化，高速化の方が重要視されるようになってきた。特に、最近急激に需要の伸びてきた携帯電話用カメラを含むデジタルスチルカメラの場合には、撮影結果に影響を及ぼすのは、シャッタ羽根の閉じ作動だけであることから、そのような傾向が強くなってきた。
【０００５】
そこで、そのようなシャッタの小型化，高速化に対する強い要求に応じるために、シャッタ羽根自身の小型化，軽量化を図る目的で、上記の形状をしたシャッタ羽根の先端部を切除し、枢着部から先端部までの長さを短くしたものが採用されるようになってきた。ところが、その場合には、シャッタ羽根の長さを単に短くしただけでは、露光開口の全開時において２枚のシャッタ羽根の先端部が重ならなくなり、閉じ作動時にはシャッタ羽根が変形し、先端部同士が干渉してしまうおそれがあるため、２枚のシャッタ羽根は、それらの開口形成縁が、ハサミの二つの刃先縁のように、枢着部側から先端部に向けて連続して順に交差していくように構成されていた。そして、特許文献１には、そのような構成の一例が、開示されている。
【特許文献１】特開２００１−２７２７１１号公報
【発明の開示】
【発明が解決しようとする課題】
【０００６】
ところが、上記のように、２枚のシャッタ羽根を相反する方向へ回転させて露光開口の開閉を行なうシャッタであって、閉じ作動時においては、２枚のシャッタ羽根の開口形成縁が、枢着部側から先端部に向けて連続して順に交差していくように構成したものは、仮に特許文献１に記載のシャッタ羽根のように、それらの開口形成縁に少なくとも一つの屈曲点を設けた場合であっても、露光開口が最後に閉じ終わる領域は、２枚のシャッタ羽根の枢着部を結ぶ線分の中間位置から一番遠い領域である。
【０００７】
このことは、言うまでもなく、光軸近傍領域が最後に閉じ終わる領域であるように構成した場合よりも、閉じ始めてから閉じ終わるまでの時間が若干といえども長くかかるということである。また、このようなシャッタは、露光むらの観点からは、好ましいものであるとは言いがたい。更に、デジタルスチルカメラに採用した場合には、固体撮像素子の種類によっては、スミア現象の観点からも、好ましいとは言いがたい。そして、これらのことは、光軸近傍で最後に閉じ終わるようにすれば改善される。そこで、仮に特許文献１に記載の構成の場合において、そのようにする場合には、２枚のシャッタ羽根の開口形成縁の交差角度が、屈曲点を過ぎてからはマイナスになるようにする、即ちそれまでの交差とは逆の交差状態になるようにすればよいことになる。しかしながら、そのようにした場合には、２枚のシャッタ羽根が閉じ作動中に変形したとき、それらの先端部が干渉（衝突）してしまうおそれが生じてしまう。
【０００８】
本発明は、このような問題点を解決するためになされたものであり、その目的とするところは、２枚のシャッタ羽根を相反する方向へ回転させて露光開口の開閉を行なうシャッタにおいて、２枚のシャッタ羽根を、露光開口の全開時に、それらの先端部が重ならない構成にし、シャッタの小型化，高速化を図るようにしたにもかかわらず、露光開口の閉鎖時に、それらのシャッタ羽根が干渉しないようにしたカメラ用シャッタを提供することである。
【課題を解決するための手段】
【０００９】
上記の目的を達成するために、本発明のカメラ用シャッタは、所定の間隔を空けて相互に取り付けられている二つの地板と、前記二つの地板の間を仕切って二つの羽根室を構成している中間板と、前記二つの羽根室内に別々に配置されていて前記二つの地板のいずれかに枢着されており夫々が長孔を有していると共に露光開口の全開時にはそれらの先端部が互いに重ならない形状に形成されている２枚のシャッタ羽根と、前記長孔の両方に嵌合した一つの作動ピンを有していて往復作動することによって前記２枚のシャッタ羽根を相反する方向へ回転させる駆動手段と、前記駆動手段を往復作動させる駆動源と、を備えているようにする。
【００１０】
その場合、前記２枚のシャッタ羽根は、夫々の開口形成縁が、全開時において相手のシャッタ羽根側に屈曲した少なくとも一つの屈曲点を有しているようにしてもよい。また、前記駆動源がモータであって、前記駆動手段がそのモータの回転子であり、前記作動ピンがそのモータの出力ピンであるようにすると、シャッタの小型化と低コスト化にとって一層好適なものとなる。
【発明の効果】
【００１１】
本発明は、２枚のシャッタ羽根を相反する方向へ回転させて露光開口の開閉を行なうようにしたシャッタにおいて、２枚のシャッタ羽根の枢着部から先端部までの長さを短くして、露光開口の全開時に、それらの先端部が重ならないように構成しても、閉じ作動時に、シャッタ羽根同士が干渉することなく、露光開口の略中央で閉鎖し終わることができるので、この種のシャッタを小型化，高速化するうえで、極めて好適なものである。
【発明を実施するための最良の形態】
【００１２】
本発明の実施の形態を、図示した実施例によって説明する。尚、図１〜図４は、いずれも、実施例を説明するための平面図であって、図１は、シャッタ羽根の全開状態を示したものであり、図２は、シャッタ羽根が閉じ作動を開始し、露光開口を閉じ始める直前の状態を示したものであり、図３は、シャッタ羽根が露光開口を閉じ終わった瞬間の状態を示したものであり、図４は、シャッタ羽根が閉じ作動を終了し、停止した状態を示したものであるが、図２〜図４においては、図１に示された補助地板を取り除いた状態で示してある。
【実施例】
【００１３】
本実施例は、デジタルスチルカメラに採用することも、銀塩カメラに採用することも可能なシャッタである。そこで先ず、主に図１を用いて本実施例の構成を説明する。主地板１と補助地板２は、図示していない適宜な手段によって、両者の間に所定の間隔を空けて、相互に取り付けられている。また、両者は、平面上での外形が類似の形状をしているが、図１においては、補助地板２の一部を破断して示してある。
【００１４】
中間板３は、主地板１と補助地板２との間に取り付けられ、それらの地板１，２との間に二つの羽根室を構成しているが、図１においては、その一部を破断して示してある。そして、それらの三つの板部材１，２，３には、略中央部に円形をした撮影光路用の開口部１ａ，２ａ，３ａが形成されている。周知のように、これらの開口部１ａ，２ａ，３ａのうち、どの開口部を露光開口としても構わないが、本実施例の場合には、図面上で明らかではないが、開口部１ａの直径が開口部２ａの直径よりも小さく、露光開口を規制するようになっている。
【００１５】
主地板１は、合成樹脂製であって、長孔１ｂが形成されていると共に、羽根室側の面には、二つの軸１ｃ，１ｄと、二つのストッパ１ｅ，１ｆが設けられている。そして、軸１ｃ，１ｄは、中間板３に形成された孔３ｂ，３ｃを貫通し、それらの先端を補助地板２に形成された孔２ｂ，２ｃに嵌合させている。また、ストッパ１ｅ，１ｆは、それらの先端を補助地板２に形成された孔２ｄ，２ｅに嵌合させている。更に、補助地板２には、主地板１の長孔１ｂと同じ形状の長孔２ｆが形成されており、中間板３には、それらの長孔１ｂ，２ｆよりも大きな長孔３ｄが形成されている。
【００１６】
主地板１と中間板３の間に構成された羽根室には、シャッタ羽根４が配置されていて、主地板１の軸１ｃに枢着されている。そして、このシャッタ羽根４には、長孔４ａと、円弧状をした開口形成縁４ｂが形成されている。また、補助地板２と中間板３の間に構成された羽根室には、シャッタ羽根５が配置されていて、主地板１の軸１ｄに枢着されている。そして、このシャッタ羽根５には、長孔５ａと、円弧状をした開口形成縁５ｂが形成されている。尚、本実施例の場合には、シャッタ羽根４，５が、いずれも主地板１に設けられた軸１ｃ，１ｄに枢着されているが、シャッタ羽根４，５に軸を設け、それらを主地板１に設けた孔に嵌合させた枢着構成にしてもよい。また、それらのシャッタ羽根４，５を補助地板２に枢着しても差し支えない。
【００１７】
主地板１の背面、即ち羽根室外の面には、図示していないムービングマグネット型モータが取り付けられている。このモータの構成は特開２０００−６００８８号公報などで周知であり、固定子コイルに通電すると、永久磁石を有する回転子が、その通電方向に対応した方向へ、所定の角度範囲内で回転するモータであって、その回転子の回転軸は、図１における長孔１ｂ，２ｆ，３ｄの右下方位置となっている。また、その回転子には、一体的に回転する出力ピンが設けられているが、本実施例の場合には、図１に示された作動ピン６が、その出力ピンである。そして、その作動ピン６は、順に、主地板１の長孔１ｂ，シャッタ羽根４の長孔４ａ，中間板３の長孔３ｄ，シャッタ羽根５の長孔５ａ，補助地板２の長孔２ｆに挿入されている。
【００１８】
次に、本実施例の作動を説明する。上記したように、本実施例のシャッタは、デジタルスチルカメラに採用することも、銀塩カメラに採用することも可能なシャッタである。そこで、先ず、デジタルスチルカメラに採用した場合の作動を説明する。図１はその場合の初期状態を示している。即ち、このデジタルスチルカメラはノーマリーオープンタイプであって、この初期状態においては、電源がオンとなっており、シャッタ羽根４，５は露光開口（開口部１ａ）を全開にしている。そのため、固体撮像素子は被写体光にさらされており、被写体像をモニターで観察可能となっている。また、このとき、シャッタ羽根４，５は、それらの先端部が重ならない形状になっていて、平面面積が小さくなっている。
【００１９】
撮影に際してレリーズボタンを押すと、そのカメラが、絞り機構やＮＤフィルタ機構を備えている場合は、先ず、被写体光の測定結果に基づいて、被写体光の光量を減じて撮影するか、減じないで撮影するかが決定される。そして、被写体光の光量を減じて撮影する場合には、図示していない絞り羽根や、ＮＤフィルタを、露光開口へ進入させる。その後、露光制御回路からの信号によって固体撮像素子に蓄積されていた電荷が放出されると、撮影のための露光が開始する。
【００２０】
撮影のための露光を開始してから所定の時間が経過すると、露光制御回路からの信号によってモータの固定子コイルに対して正方向の電流が供給される。それによって、長孔１ｂの右下方位置に回転軸を有している回転子が、時計方向へ回転を開始する。そのため、作動ピン６は、図１の位置から略光軸方向へ移動させられ、シャッタ羽根４，５の閉じ作動が開始する。図２は、そのようにしてシャッタ羽根４，５が閉じ作動を開始した後であって、露光開口の閉鎖を開始する直前の状態を示したものであり、図３は、その後、露光開口を閉鎖し終わった瞬間の状態を示したものである。
【００２１】
この図２と図３から分かるように、シャッタ羽根４，５による露光開口の閉鎖は、開口部１ａの両側から開始し、略中心で終了している。そのため、露光開口の閉鎖開始から閉鎖終了までの時間が、前記特許文献１のようにした場合よりも若干なりとも早くなり、かつ露光むらの点も改善されている。また、シャッタ羽根４，５の先端部は、露光開口が完全に閉鎖される前に重なるが、本実施例の場合には、シャッタ羽根４，５が、別々の羽根室に配置されているので、作動中に変形しても、それらの先端部同士が衝突してしまうようなことがない。
【００２２】
このようにして、露光開口が閉鎖し終わると、シャッタ羽根４，５の閉じ作動は、シャッタ羽根４がストッパ１ｆに当接して停止するが、図４は、その停止状態を示したものである。尚、このように、２枚のシャッタ羽根を相反する方向へ回転させて露光開口を開閉するシャッタにおいて、シャッタ羽根の一方だけをストッパに当接させるだけで、両方が好適に停止する理由は周知である。そのため、その説明を省略するが、シャッタ羽根４，５をストッパ１ｆ，１ｅに、同時に当接させるようにしても差し支えない。
【００２３】
このようにして、シャッタ羽根４，５の閉じ作動が停止すると、その状態において撮像情報が記憶装置に転送される。そして、その転送が終了すると、モータの固定子コイルに対して、上記の場合とは逆方向への通電が行なわれる。そのため、図示していない回転子は、図４において反時計方向へ回転させられ、作動ピン６を略反光軸方向へ移動させる。それによって、シャッタ羽根４，５の開き作動が開始され、図３の状態の直後に露光開口を開き始め、図２の状態で開き終わる。その後、シャッタ羽根４，５は、ストッパ１ｅ，１ｆに当接して停止し、その直後に、固定子コイルに対する通電が断たれ、図１の初期状態になる。尚、絞り羽根などの復帰作動は、シャッタ羽根４，５が図４の状態になった後、それらの駆動装置によって、初期位置へ復帰させられる。
【００２４】
ここで、本実施例のシャッタが銀塩カメラに採用された場合について簡単に説明をしておく。その場合には、図４に示された状態が初期状態となる。そして、絞り機構を備えたカメラの場合は、被写体光の明るさに応じて絞り羽根を作動させてから、シャッタ羽根４，５に開閉作動を行わせることになるが、フィルムの露光は、図３の直後に開始される。その後、シャッタ羽根４，５が、図１の状態になって停止すると、所定時間後に、固定子コイルに対して逆方向の通電が行なわれる。そのため、シャッタ羽根４，５は閉じ作動を開始して、図３の状態になると露光が終了し、その直後に停止されて図４の状態に復帰する。
【００２５】
尚、本実施例においては、シャッタ羽根４，５の開口形成縁４ｂ，５ｂが円弧状に形成されているが、少なくとも一つの屈曲点を有していて、その屈曲点より先端部側が、全開時において相手のシャッタ羽根側に屈曲するように形成しても差し支えない。また、本実施例の場合には、駆動源がムービングマグネット型モータであるが、本発明の駆動源は、ばねであっても差し支えないし、例えば特開２００２−６２５６１号公報に記載されているようなステップモータであっても差し支えない。更に、本実施例の場合には、作動ピン６が、モータの出力ピンの場合で説明したが、上記の特開２００２−６２５６１号公報にも記載されているように、駆動源によって往復作動させられる部材に設けられていても差し支えない。
【図面の簡単な説明】
【００２６】
【図１】シャッタ羽根の全開状態を示した実施例の平面図である。
【図２】シャッタ羽根が閉じ作動を開始し、露光開口を閉じ始める直前の状態を示した実施例の平面図である。
【図３】シャッタ羽根が露光開口を閉じ終わった瞬間の状態を示した実施例の平面図である。
【図４】シャッタ羽根が閉じ作動を終了し、停止した状態を示した実施例の平面図である。
【符号の説明】
【００２７】
１                            主地板
１ａ，２ａ，３ａ              開口部
１ｂ，２ｆ，３ｄ，４ａ，５ａ  長孔
１ｃ，１ｄ                    軸
１ｅ，１ｆ                    ストッパ
２                            補助地板
２ｂ，２ｃ，２ｄ，２ｅ，３ｂ，３ｃ  孔
３                            中間板
４，５                        シャッタ羽根
４ｂ，５ｂ                    開口形成縁
６                            作動ピン
【図１】
2005099167.tif 000003
【図２】
2005099167.tif 000004
【図３】
2005099167.tif 000005
【図４】
2005099167.tif 000006